(57)【要約】【課題】ケーブルを収納するケースは、前面に多数のコネクタが設置されており、ケーブルの着脱の作業時、コネクタを目視してコネクタを操作することが困難となり、保守等の作業の効率が悪くなる。【解決手段】ケースを取付金具によりラックに固定されるラックマウント型ケースに関するものであり、通常は、コネクタが設置され分配回路等が収容されるケースの収納箱をラックの奥に位置させ、ラックと収納箱の間にケーブルを収容する空間を確保し、作業時には、収納箱を前方にスライド移動させ、コネクタを保守等の作業が容易となる位置に移動させる構成とする。【選択図】  図１
2007324441.tif 000002
【特許請求の範囲】
【請求項１】
ラックマウント型ケースであって、
前記ケースは、取付ネジにより前記ラックに取付られる取付枠体と前面にコネクタを有し内部に電気部品を収納する収納箱からなり、
前記収納箱は前記取付枠体上を前後方向に移動可能に搭載され、
前記収納箱と前記取付枠体には、前記収納箱を前記取付枠体の所定の位置に係止するストッパー機構を有することを特徴とするケース。
【請求項２】
請求項１記載のラックマウント型ケースであって、
前記ストッパー機構は前記取付枠体に設けられたストッパーと、前記収納箱に設けられたストッパー穴からなり、前記ストッパーは球体とバネにより構成され、前記ストッパー穴は前記球体が嵌合することを特徴とするケース。
【請求項３】
請求項１および請求項２記載のラックマウント型ケースであって、
前記取付枠体と前記収納箱には、前記収納箱の移動を規制するガイド機構を有することを特徴とするケース。
【請求項４】
請求項３記載のラックマウント型ケースであって、
前記ガイド機構は前記取付枠体に固定されたガイド突起と、前記収納箱に開けられ前記ガイド突起が貫通するガイド溝とからなることを特徴とするケース。
【請求項５】
請求項１ないし請求項４記載のラックマウント型ケースであって、
前記収納箱には複数の樹脂製のピンが設けられ、前記樹脂製のピンにより前記取付枠体と接触することを特徴とするケース。
【請求項６】
請求項１ないし請求項４記載のラックマウント型ケースであって、
前記収納箱の前にケーブル受けが設けられていることを特徴とするケース。
【発明の詳細な説明】
【技術分野】
【０００１】
本発明は、内部に分配器等を有し前面に入出力用の複数のケーブルが接続されるケースに関するものであり、特に、ラック内にスライド収納されるラックマウント型の電子機器ケースに関するものである。
【背景技術】
【０００２】
電子機器のケース、例えば、光分配器とこの光分配機に接続される光ケーブルを収納するケースは、前面に多数のコネクタが設置され、コネクタに入出力用の光ケーブルを接続する構成となっている。従って、ケースの前面にはコネクタに接続されたケーブルを整理し収納する空間が必要となる。従って、ケースをラックに収容し固定した時、ケースの前面がラックの前面より奥に位置させ、ケースの前面とラックの前面の間に、ケーブルを整理し収納する空間を確保する構造とすることが多く行われている。また、ケースを収納するラックの前面に扉を設け、通常時はその扉を閉じた状態とするものも多数存在する。このような構成では扉とケースの間の空間がケーブルを収納する空間となる。
【特許文献１】特開２００３−１２４６５７号公報
【発明の開示】
【発明が解決しようとする課題】
【０００３】
ケースに接続されるケーブルは使用状況に応じて増減、変更される。ケーブルを増減し変更するためには、ケースの前面に設置されているコネクタを直接操作する必要がある。ラックの扉とケースの間にコネクタに接続されているケーブルを収納する空間を確保するため、ケースはラックの奥に固定される。ラックとケース間の空間にはケーブルが収容されているため、ケースの前面に設置されているコネクタは収容されたケーブルの奥となり、コネクタを目視して操作することが困難となり、保守等の作業の効率が悪くなる。
【０００４】
本発明は、ケースを取付金具によりラックに固定されるラックマウント型ケースに関するものであり、通常は、コネクタが設置され分配回路等が収容されるケースの収納箱をラックの奥に位置させラックと収納箱の間にケーブルを収容する空間を確保し、作業時には、収納箱を前方にスライド移動させコネクタを保守等の作業が容易となる位置に移動させる構成とするものである。
【課題を解決するための手段】
【０００５】
本発明は、ケースを、ラックに固定される取付枠体と、コネクタが設置され分配回路等が収容される収納箱により構成し、収納箱を取付枠体の底板上をスライド移動する構成としたものである。また、収納箱と取付枠体に収納箱のスライドを規制するガイドを設けている。更に、収納箱をラックの奥に収納した位置、および作業時に収納箱をラックの前方に引き出した位置に位置決めするストッパーを設けている。
【発明の効果】
【０００６】
本発明は、収納箱を取付枠体の底板上をスライド移動する簡単な構成により、収納箱の位置を通常時の位置から作業時の位置に容易にスライドさせ移動可能としたものである。また、収納箱と取付枠体に収納箱のスライドを規制するガイドを設けることにより、取付枠体上の収納箱の移動が滑らかとなる。位置決め用のストッパーを設けたことにより、収納箱を通常の収納位置および作業位置に確実安定に留まり、作業の効率の向上を図ることが可能となる。
【実施例】
【０００７】
図１は、本発明に係るスライド構造のラックマウント型ケース１００を、取付金具２１０によりラック１０に取り付けた全体図である。ケース１００の前面に設けられているケーブルコネクタ３０にケーブル２０が接続さ、ケーブルはケース１００とラックの間の空間に収納され整理される。ラック１０の前面に扉を設置することが可能である。
図２−１は、ケース１００の収納箱３００が取付枠体２００の後方、即ちラック１０の奥方向に収納された状態を示す図であり、図２−２は図２−１の右部分の詳細図である。図２−３は図２−１の状態にあるケース１００の留め具４００と収納箱３００の天板を取り除き、収納箱３００の内部を目視可能にした状態を示す図であり、図２−４は図２−３の左部分の詳細図である。
図３−１は、ケース１００の収納箱３００が取付枠体２００の前方、即ちラック１０の前方向に位置する状態を示す図であり、図３−２は図３−１の右部分の詳細図である。また、図３−３は図３−１の状態にあるケース１００の留め具４００と収納箱３００の天板を取り除き、収納箱３００の内部を目視可能にした状態を示す図であり、図３−４は図３−３の左部分の詳細図である。図３−５は図３−１の状態にあるケース１００の上面図である。
【０００８】
図４はケース１００を構成する取付枠体２００、収納箱３００、収納箱蓋３１０、留め具４００の概要を示す図であり、図５ないし図１０−２はケースの各部を詳細に示す図である。
収納箱蓋３１０がネジ留めされた収納箱３００は取付枠体２００に搭載される。取付枠体２００の底板に設けられた左ガイド突起２３−１と右ガイド突起２３−２は各々、収納箱３００の底板に開けられている左ガイド溝３３０−１と右ガイド溝３３０−２(図示されていない)を貫通する。また、収納箱３００は取付枠体２００の左ストッパー２２０−１と右ストッパー２２０−２に挟まれる状態で搭載される。収納箱３００を取付枠体２００に搭載した状態で留め具４００が取り付けられ、収納箱３００の脱落が防がれる。
【０００９】
図５−１は取付枠体２００の斜視図、図５−２は詳細図であり、図５−３はストッパーと袋ナットの構成を示す図である。取付枠体２００は枠体底板２１２と底板２１２から直角に立ち上がる左右の側壁２１１−１と２１１−２から成っている。左右の側壁の前部にはケース１００をラック１０に固定するためのネジ穴を有する枠体取付金具２１０−１と２１０−２が設けられている。また、左右の側壁には留め具４００(図４)を位置決めするための段差４１１と、留め具４００をネジ止めするネジ穴４１０が設けられている。枠体底板２１２と留め具４００の間隔は、取付枠体２００に搭載された収納箱３００が留め具４００に妨害されることなく自由にスライドし移動可能となる高に設定されている。
底板２１２の左右側壁の近傍に、左ガイド突起２３０−１と右ガイド突起２３０−２が２本づつ設けられている。また、枠体底板２１２の左右後部には、枠体底板２１２と直角に左ストッパー２２０−１と右ストッパー２２０−２が設けられている。
【００１０】
図５−２は取付枠体２００の左ストッパー２２０−１の取付部近傍の詳細図である。枠体底板２１２の後方端部の左側壁２１１−１より内側の位置に、左ストッパー２２０−１の取付金具２２５−１が枠体底板２１２から垂直に立ち上げられている。取付金具２２５−１には穴が開けられており、この穴を通して左ストッパー２２０−１がネジ止めされている。図５−３はストッパーの詳細図であり、(ａ)(ｄ)(ｅ)は側面図、(ｆ)は底面図、(ｄ)は上面図であり、(ｄ)は(ａ)の断面図である。ストッパーは袋状の本体２５０と鍔２５１から成り、鍔２５４にはストッパーを取付金具２２５にネジ止めするためのネジ穴が開けられている。袋状の本体２５０内にはバネ２５２と球体２５３が収納されており、バネ２５２により球体２５３の一部か鍔２５１に開けられた円形の穴から出ている。球体２５３をストッパー本体方向に押すことにより球体２５３は袋状の本体２５０内に入り込み、収納箱を係止する構造となっている。
【００１１】
枠体底板２１２に設置されているガイド突起２３０は、枠体底板２１２に固定されたボルトと、このボルトが貫通する樹脂パイプ２３０及びボルトの頭部を覆う袋ナット２３２から構成されている。図５−３に袋ナットが例示されている。
【００１２】
図６は収納箱３００の詳細図であり、(ａ)は上面斜視図、(ｂ)は下面斜視図である。収納箱３００の前面には複数のケーブルコネクタ３０が設置されており、ケーブル２０が接続される。また、収納箱３００の前面にはケーブルを保護するケーブル受け３１０が設けられている。また収納箱３００の上面には収納箱蓋３１０をネジ止めするためのネジ穴３１１が複数設けられている。
収納箱３００の左右の側壁には複数の右ストッパー穴と左ストッパー穴が開けられている。本実施例では右ストッパー穴として３２０−１１、３２０−１２、左ストッパー穴として３２０−２１、３２０−２２の各々２つ開けられている。収納箱３００の底板３４０の左側壁近傍には左ガイド溝３３０−１が、右側壁近傍には右ガイド溝３３０−２が開けられている。また、収納箱３００の底板３４０には、取付枠体２００に搭載された時、スライドを容易にするため、取付枠体２００の底板２１２と接触する樹脂製のピン３５０が設けられている。図５では側壁近傍の４箇所に設けた例が示されている。
【００１３】
図７−１は、取付枠体２００に取り付けられたストッパー２２０と収納箱３００の側壁に開けられているストッパー穴３２０の詳細を示す図である。図５−２の示されるように、枠体底板２１２の左右後方端部の、左右側壁２１１−１及び２１１−２より内側の位置に、左ストッパーの取付金具２２５−１と右ストッパーの取付金具２２５−２が枠体底板２１２から垂直に立ち上げられている。取付金具２２５には穴が開けられており、この穴にストッパー２２０(図５−３)のストッパー本体２５０を通してネジ止めされている。袋状の本体２５０内にはバネ２５２と球体２５３が収納されており、バネ２５２により球体２５３の一部か鍔２５１に開けられた円形の穴から出るように押されている。
収納箱３００は取付枠体２００の左ストッパー２２０−１と右ストッパー２２０−２に挟まれる状態で取付枠体２００に搭載される。収納箱３００の左右側壁に開けられている左右のストッパー穴は、３２０−１１と３２０−２１が、また、３２０−１２と３２０−２２が対となる。取付枠体２００に搭載された収納箱３００は、例えば、３２０−１１と３２０−２１の対のストッパー穴に左右ストッパー２２０−１と２２０−２の球体が勘合し固定される。収納箱３００の前後方向に力を加えると、球体はストッパー穴３２０の縁に押されストッパーの本体２５０内に押し込まれ、球体とストッパー穴の勘合が解除され、収納箱３００は取付枠体の上を移動する。
【００１４】
図７−２は、取付枠体２００の底板２１２に取り付けられたガイド突起２３０と収納箱３００の底板３４０に開けられたガイド溝３３０、及び底板３４０に取り付けられている樹脂ピン３５０の詳細図である。
ガイド突起２３０は取付枠体２００の取付枠体底板２１２に固定して取り付けられたボルト２３１と、このボルト２３１が貫通する樹脂製のバイブ２３３と、ボルト２３１の頭部を覆う袋ナット２３２により構成されている。図６に示されるように、収納箱３００の底板３４０には収納箱３００の移動方向にガイド溝３３０−１と３３０−２が開けられている。収納箱３００は、取付枠体２００の左右ストッパー２２０−１と２２０−１に狭持され、取付枠体２００のガイド突起２３０が収納箱３００のガイド溝３３０を貫通するように、取付枠体２００に搭載される。収納箱３００に前後方向の力を加えると、収納箱３００はガイド溝３３０とガイド突起２３０により決まる位置を移動することとなり、収納箱３００は取付枠体２００上の安定した移動が可能となる。また、収納箱３００が移動する際、ガイド溝３３０の周辺部はガイド突起２３０と接触するが、ガイド突起２３０を覆う樹脂製のバイブ２３３により摩擦抵抗は小さく、なめらかな移動が可能となる。
収納箱３００の底板３４０には樹脂製のピン３５０が設けられている。収納箱３００を取付枠体２００に搭載した時、樹脂製のピン３５０が取付枠体２００の底板２１２と接触し、収納箱３００の底板３４０が底板２１２と直接接触することはない。従って、収納箱３００が移動する際摩、擦抵抗が小さいなめらかな移動が可能となる。
【００１５】
図２−１は、図４に示される取付枠体２００、収納箱３００、収納箱蓋３１０、留め具４００から構成されるケース１００の斜視図であり、収納箱３００を取付枠体２００の後方、即ちラック１０の奥方向に収納した図であり、図２−２は図２−１の詳細図である。図２−３は、収納箱蓋３１０と留め具４００を取り除いて、収納箱３００の内部状態を目視した図であり、図２−４は図２−３の詳細図である。
収納箱蓋留めネジ３１０により収納箱蓋３１０が取り付けられた収納箱３００が取付枠体２００に搭載されている。また、留め具４００が留めネジ４１０により取付枠体２００に取り付けられ、収納箱３００を保護している。ケース１００は取付枠体２００の左右側壁の前部に設けられた枠体取付金具２１０によりラック１０にネジ止めされる。
図７−２に示されるように、取付枠体２００の底板２１２に設けられたガイド突起２３０が、収納箱３００の底板３４０(図２−３)に開けられたガイド溝３３０に沿って移動することにより、収納箱３００は取付枠体２００の底板２１２上を前後に移動する。取付枠体２００に設けられている左ストッパー２２０−１と右ストッパー２２０−２の球体２５３(図５−３、図７−１)は、バネ２５２によりケース１００の左右側壁に押し当てられる。従って、収納箱３００が前後に移動する時、収納箱３００の側壁は球体２５３に接触しつつ移動する。
【００１６】
収納箱３００の左右側壁の各々には、左ストッパー穴３２０−１と右ストッパー穴３２０−２が開けられている。本実施例のストッパー穴は左右側壁におのおの２つずつあけられている。図２−３には収納箱３００の左側壁にあけられた、第１左ストッパー穴と第２左ストッパー穴が示されている。左側壁と同様、右側壁には第１右ストッパー穴３２０−２と第２右ストッパー穴３２０−２が開けられている。収納箱３００の移動に伴い、ケース１００の左右側壁に押し当てられてるストッパーの球体は、側壁面を移動する。球体がストッパー穴に至ると、バネの力により球体はステッパー穴に入り込みケース１００の移動を停止させる。図２−１ないし図２−４に示されるケース１００は、収納箱３００を取付枠体２００の後方移動させた状態であり、ストッパーの球体は、収納箱３００の側壁の前方に開けられたストッパー穴、即ち、左側壁の第１左ストッパー穴と右側壁の第１右ストッパー穴に入り込み、ケース１００が固定保持される。図２−２には右ストッパーの球体が第１右ストッパー穴に嵌合し、第２右ストッパー穴のみが目視される状態が、図２−４には左ストッパーの球体が第１左ストッパー穴に嵌合した状態が示される。また、図２−４には、取付枠体２００の枠体底板２１２に設けられた左ガイド突起２３０−１が収納箱の底板３４０に開られた左ガイド溝３３０−１の前方に位置することが示されている。収納箱３００を取付枠体２００の後方に収納し、左右ストッパーの球体が各々第１のストッパー穴と嵌合した状態では、収納箱３００の前方に設けられたケーブル受け３１０は取付枠体２００の枠体取付金具２１０より後方に位置する。従って、枠体取付金具２１０によりケース１００をラック１０に取り付けた状態で、ケーブル受け３１０を含む収納箱３００は完全にラック１０内に収まることになる。
【００１７】
収納箱に接続されているケーブルの接続を変更する場合、ラック１０の奥に収納された収納箱３００を前方に引き出して作業を行う。図２−２の白抜きの矢印は、ラック１０の奥から収納箱３００を前方に引き出す際の、取付枠体２００に対する収納箱３００の動きを示すものである。収納箱３００を引き出すため、収納箱３００を前方に強く引くことにより、図７−１に示される様に、第１のストッパー穴３２０と嵌合したストッパー２２０の球体２５３はストッパー穴の縁に押され、バネ２５２の弾性力に抗してストッパー本体内に入り込む。この球体の動きによりストッパーとストッパー穴の嵌合は解除され、収納箱３００は取付枠体２００の枠体底板２１２上をスライドし移動する。枠体の底板２１２に設けられたガイド突起２３０が収納箱の底板３４０に開けられたガイド溝３３０に沿って移動するため、収納箱３００は左右に揺れることなく前方に移動することが可能となる。  収納箱の底板３４０には図７−２に示される樹脂製のピン３５０が設けられており、摩擦係数の小さい樹脂製のピン３５０が枠体の底板２１２と接触して移動する。この構成により、枠体の底板２１２と収納箱の底板３４０は直接接触することはなく、収納箱３００は小さな力を加えるのみで、滑らかな移動が可能となる。また、ガイド突起２３０は樹脂製のパイプで保護されているため、収納箱３００の移動中にガイド突起２３０がガイド溝３３０の縁部と接触しても、摩擦は小さく滑らかな移動が可能となる。
【００１８】
図２−１の位置にある収納箱３００に引く力を加えることにより、ストッパーの球体と第１の左ストッパー穴および第１の右ストッパー穴とストッパーの球体との嵌合が解消し、収納箱３００は前方に移動する。ストッパーの球体は収納箱３００の側壁に沿って収納箱３００後方に移動し、第２のストッパー穴に位置に到達して、ストッパー穴と球体は嵌合する。この状態が図３−１ないし図３−５に示されている。図３−１ないし図３−４は各々図２−１ないし図２−４に対応する図であり、図３−５は俯瞰図である。取付枠体２００の左右ストッパー２２０−１及び２２０−２は収納箱３００の左右側壁の各々奥方向に開けられた第２のストッパー穴に嵌合している。図３−４あるいは図３−５に示されるように、左右のガイド突起は左右のガイド溝の奥方向に位置している。収納箱３００がこの位置にあると、ケーブル受け３１０はラック１０の前面から更に前方となり、収納箱３００の前面に設けられているコネクタは作業が容易な位置となる。作業が終了すると、収納箱３００をラック１０の奥に移動させる。収納箱を押し込む方向に力を加えることにより、左ストッパー２２０−１及び右ストッパー２２０−２と第２のストッパー穴３２０−１２及び３２０−２２の嵌合は解除され、収納箱３００は後方にスライドし、図２−１に示される位置に移動する。
【産業上の利用可能性】
【００１９】
本発明は、ラック内にスライド収納されるラックマウント型の電子機器ケースに関するものである。通常はケースをラックの奥に収納し、ラックの扉の閉塞、あるは通行の障害とならないようにする。収容ケーブルを変更する等の作業を行う時には、ケースを前方に引き出し、ケーブルの着脱の作業を容易に行えるようにする。
１．本発明に係るラックマウント型の電子機器ケースは、ラックに固定される取付枠体２００と、取付枠体２００上を前後にスライドし移動する収納箱３００から構成されている。上記の構成により、本発明に係るケースの収納箱３００は、小さな力によりラック内を前後に移動可能となる。
２．取付枠体２００と収納箱３００にガイド突起とガイド溝を設けることにより、収納箱３００が取付枠体２００上をスライドする位置と距離が規制され、安定した移動が可能となる。
３．取付枠体２００の左右側壁にはストッパーが、収納箱３００には収納位置と引出位置でストッパーと嵌合する構成を有している。この構成により、通常の利用時、及び作業時に収納箱３００を安定した状態で保持することが可能となり、安全確実な作業が可能となる。
３．ストッパーの嵌合は、球体と球体が嵌合するストッパー穴により構成されている。この構成により強い力を加えることにより嵌合を解除することが可能となり、特殊な操作あるいは工具を必要とせず簡単に収納箱３００をスライドさせることが可能となる。
４．収納箱３００が取付枠体２００と接触する面には樹脂製のピンが設けられている。この構成により、収納箱３００と取付枠体２００の間の摩擦が小さくなり、収納箱３００の滑らかなスライドが可能となる。
【図面の簡単な説明】
【００２０】
【図１】本発明に係るラックマウント型ケースをラックに収納した図
【図２−１】ケースの収納箱が取付枠体の後方に位置する図
【図２−２】図２−１の詳細図
【図２−３】ケースの収納箱が取付枠体の後方に位置する時の内部の図
【図２−４】図２−３の詳細図
【図３−１】ケースの収納箱が取付枠体の前方に位置する図
【図３−２】図３−１の詳細図
【図３−３】ケースの収納箱が取付枠体の前方に位置する時の内部の図
【図３−４】図３−３の詳細図
【図３−５】図３−３の俯瞰図
【図４】ケースを構成する取付枠体、収納箱、収納箱蓋、留め具の概要図
【図５−１】取付枠体の概要図
【図５−２】図５−１の詳細図
【図５−３】ストッパーと袋ナットの詳細図
【図６】収納箱の概要図
【図７−１】ストッパーとストッパー穴の詳細図
【図７−２】ガイド突起とガイド溝の詳細図
【図１】
2007324441.tif 000003
【図２−１】
2007324441.tif 000004
【図２−２】
2007324441.tif 000005
【図２−３】
2007324441.tif 000006
【図２−４】
2007324441.tif 000007
【図３−１】
2007324441.tif 000008
【図３−２】
2007324441.tif 000009
【図３−３】
2007324441.tif 000010
【図３−４】
2007324441.tif 000011
【図３−５】
2007324441.tif 000012
【図４】
2007324441.tif 000013
【図５−１】
2007324441.tif 000014
【図５−２】
2007324441.tif 000015
【図５−３】
2007324441.tif 000016
【図６】
2007324441.tif 000017
【図７−１】
2007324441.tif 000018
【図７−２】
2007324441.tif 000019
【手続補正書】
【提出日】平成19年1月25日(2007.1.25)
【手続補正１】
【補正対象書類名】明細書
【補正対象項目名】全文
【補正方法】変更
【補正の内容】
【発明の詳細な説明】
【技術分野】
【０００１】
本発明は、内部に分配器等を有し前面に入出力用の複数のケーブルが接続されるケースに関するものであり、特に、ラック内にスライド収納されるラックマウント型の電子機器ケースに関するものである。
【背景技術】
【０００２】
電子機器のケース、例えば、光分配器とこの光分配機に接続される光ケーブルを収納するケースは、前面に多数のコネクタが設置され、コネクタに入出力用の光ケーブルを接続する構成となっている。従って、ケースの前面にはコネクタに接続されたケーブルを整理し収納する空間が必要となる。従って、ケースをラックに収容し固定した時、ケースの前面がラックの前面より奥に位置させ、ケースの前面とラックの前面の間に、ケーブルを整理し収納する空間を確保する構造とすることが多く行われている。また、ケースを収納するラックの前面に扉を設け、通常時はその扉を閉じた状態とするものも多数存在する。このような構成では扉とケースの間の空間がケーブルを収納する空間となる。
【特許文献１】特開２００３−１２４６５７号公報
【発明の開示】
【発明が解決しようとする課題】
【０００３】
ケースに接続されるケーブルは使用状況に応じて増減、変更される。ケーブルを増減し変更するためには、ケースの前面に設置されているコネクタを直接操作する必要がある。ラックの扉とケースの間にコネクタに接続されているケーブルを収納する空間を確保するため、ケースはラックの奥に固定される。ラックとケース間の空間にはケーブルが収容されているため、ケースの前面に設置されているコネクタは収容されたケーブルの奥となり、コネクタを目視して操作することが困難となり、保守等の作業の効率が悪くなる。
【０００４】
本発明は、ケースを取付金具によりラックに固定されるラックマウント型ケースに関するものであり、通常は、コネクタが設置され分配回路等が収容されるケースの収納箱をラックの奥に位置させラックと収納箱の間にケーブルを収容する空間を確保し、作業時には、収納箱を前方にスライド移動させコネクタを保守等の作業が容易となる位置に移動させる構成とするものである。
【課題を解決するための手段】
【０００５】
本発明は、ケースを、ラックに固定される取付枠体と、コネクタが設置され分配回路等が収容される収納箱により構成し、収納箱を取付枠体の底板上をスライド移動する構成としたものである。また、収納箱と取付枠体に収納箱のスライドを規制するガイドを設けている。更に、収納箱をラックの奥に収納した位置、および作業時に収納箱をラックの前方に引き出した位置に位置決めするストッパーを設けている。
【発明の効果】
【０００６】
本発明は、収納箱を取付枠体の底板上をスライド移動する簡単な構成により、収納箱の位置を通常時の位置から作業時の位置に容易にスライドさせ移動可能としたものである。また、収納箱と取付枠体に収納箱のスライドを規制するガイドを設けることにより、取付枠体上の収納箱の移動が滑らかとなる。位置決め用のストッパーを設けたことにより、収納箱を通常の収納位置および作業位置に確実安定に留まり、作業の効率の向上を図ることが可能となる。
【実施例】
【０００７】
図１は、本発明に係るスライド構造のラックマウント型ケース１００を、取付金具２１０によりラック１０に取り付けた全体図である。ケース１００の前面に設けられているケーブルコネクタ３０にケーブル２０が接続され、ケーブルはケース１００とラックの間の空間に収納され整理される。ラック１０の前面に扉を設置することが可能である。
図２−１は、ケース１００の収納箱３００が取付枠体２００の後方、即ちラック１０の奥方向に収納された状態を示す図であり、図２−２は図２−１の右部分の詳細図である。図２−３は図２−１の状態にあるケース１００の留め具４００と収納箱３００の天板を取り除き、収納箱３００の内部を目視可能にした状態を示す図であり、図２−４は図２−３の左部分の詳細図である。
図３−１は、ケース１００の収納箱３００が取付枠体２００の前方、即ちラック１０の前方向に位置する状態を示す図であり、図３−２は図３−１の右部分の詳細図である。また、図３−３は図３−１の状態にあるケース１００の留め具４００と収納箱３００の天板を取り除き、収納箱３００の内部を目視可能にした状態を示す図であり、図３−４は図３−３の左部分の詳細図である。図３−５は図３−１の状態にあるケース１００の上面図である。
【０００８】
図４はケース１００を構成する取付枠体２００、収納箱３００、収納箱蓋３１１、留め具４００の概要を示す図であり、図５ないし図１０−２はケースの各部を詳細に示す図である。
収納箱蓋３１１がネジ留めされた収納箱３００は取付枠体２００に搭載される。取付枠体２００の底板に設けられた左ガイド突起２３０−１と右ガイド突起２３０−２は各々、収納箱３００の底板に開けられている左ガイド溝３３０−１と右ガイド溝３３０−２(図示されていない)を貫通する。また、収納箱３００は取付枠体２００の左ストッパー２２０−１と右ストッパー２２０−２に挟まれる状態で搭載される。収納箱３００を取付枠体２００に搭載した状態で留め具４００が取り付けられ、収納箱３００の脱落が防がれる。
【０００９】
図５−１は取付枠体２００の斜視図、図５−２は詳細図であり、図５−３はストッパーと袋ナットの構成を示す図である。取付枠体２００は枠体底板２１２と底板２１２から直角に立ち上がる左右の側壁２１１−１と２１１−２から成っている。左右の側壁の前部にはケース１００をラック１０に固定するためのネジ穴を有する枠体取付金具２１０−１と２１０−２が設けられている。また、左右の側壁には留め具４００(図４)を位置決めするための段差４１１と、留め具４００をネジ止めするネジ穴４１０が設けられている。枠体底板２１２と留め具４００の間隔は、取付枠体２００に搭載された収納箱３００が留め具４００に妨害されることなく自由にスライドし移動可能となる高さに設定されている。
底板２１２の左右側壁の近傍に、左ガイド突起２３０−１と右ガイド突起２３０−２が２本づつ設けられている。また、枠体底板２１２の左右後部には、枠体底板２１２と直角に左ストッパー２２０−１と右ストッパー２２０−２が設けられている。
【００１０】
図５−２は取付枠体２００の左ストッパー２２０−１の取付部近傍の詳細図である。枠体底板２１２の後方端部の左側壁２１１−１より内側の位置に、左ストッパー２２０−１の取付金具２２５−１が枠体底板２１２から垂直に立ち上げられている。取付金具２２５−１には穴が開けられており、この穴を通して左ストッパー２２０−１がネジ止めされている。図５−３はストッパーの詳細図であり、(ａ)(ｄ)(ｅ)は側面図、(ｆ)は底面図、(ｃ)は上面図であり、(ｂ)は(ａ)の断面図である。ストッパーは袋状の本体２５０と鍔２５１から成り、鍔２５１にはストッパーを取付金具２２５にネジ止めするためのネジ穴２５４が開けられている。袋状の本体２５０内にはバネ２５２と球体２５３が収納されており、バネ２５２により球体２５３の一部が鍔２５１に開けられた円形の穴から出ている。球体２５３をストッパー本体方向に押すことにより球体２５３は袋状の本体２５０内に入り込み、収納箱を係止する構造となっている。
【００１１】
枠体底板２１２に設置されているガイド突起２３０は、枠体底板２１２に固定されたボルトと、このボルトが貫通する樹脂パイプ２３３及びボルトの頭部を覆う袋ナット２３２から構成されている。図５−３に袋ナットが例示されている。
【００１２】
図６は収納箱３００の詳細図であり、(ａ)は上面斜視図、(ｂ)は下面斜視図である。収納箱３００の前面には複数のケーブルコネクタ３０が設置されており、ケーブル２０が接続される。また、収納箱３００の前面にはケーブルを保護するケーブル受け３１０が設けられている。また収納箱３００の上面には収納箱蓋３１１をネジ止めするためのネジ穴３１２が複数設けられている。
収納箱３００の左右の側壁には複数の右ストッパー穴と左ストッパー穴が開けられている。本実施例では左ストッパー穴として３２０−１１、３２０−１２、右ストッパー穴として３２０−２１、３２０−２２の各々２つ開けられている。収納箱３００の底板３４０の左側壁近傍には左ガイド溝３３０−１が、右側壁近傍には右ガイド溝３３０−２が開けられている。また、収納箱３００の底板３４０には、取付枠体２００に搭載された時、スライドを容易にするため、取付枠体２００の底板２１２と接触する樹脂製のピン３５０が設けられている。図６では側壁近傍の４箇所に設けた例が示されている。
【００１３】
図７−１は、取付枠体２００に取り付けられたストッパー２２０と収納箱３００の側壁に開けられているストッパー穴３２０の詳細を示す図である。図５−２に示されるように、枠体底板２１２の左右後方端部の、左右側壁２１１−１及び２１１−２より内側の位置に、左ストッパーの取付金具２２５−１と右ストッパーの取付金具２２５−２が枠体底板２１２から垂直に立ち上げられている。取付金具２２５には穴が開けられており、この穴にストッパー２２０(図５−３)のストッパー本体２５０を通してネジ止めされている。袋状の本体２５０内にはバネ２５２と球体２５３が収納されており、バネ２５２により球体２５３の一部が鍔２５１に開けられた円形の穴から出るように押されている。
収納箱３００は取付枠体２００の左ストッパー２２０−１と右ストッパー２２０−２に挟まれる状態で取付枠体２００に搭載される。収納箱３００の左右側壁に開けられている左右のストッパー穴は、３２０−１１と３２０−２１が、また、３２０−１２と３２０−２２が対となる。取付枠体２００に搭載された収納箱３００は、例えば、３２０−１１と３２０−２１の対のストッパー穴に左右ストッパー２２０−１と２２０−２の球体が嵌合し固定される。収納箱３００の前後方向に力を加えると、球体はストッパー穴３２０の縁に押されストッパーの本体２５０内に押し込まれ、球体とストッパー穴の嵌合が解除され、収納箱３００は取付枠体の上を移動する。
【００１４】
図７−２は、取付枠体２００の底板２１２に取り付けられたガイド突起２３０と収納箱３００の底板３４０に開けられたガイド溝３３０、及び底板３４０に取り付けられている樹脂ピン３５０の詳細図である。
ガイド突起２３０は取付枠体２００の取付枠体底板２１２に固定して取り付けられたボルト２３１と、このボルト２３１が貫通する樹脂製のパイプ２３３と、ボルト２３１の頭部を覆う袋ナット２３２により構成されている。図６に示されるように、収納箱３００の底板３４０には収納箱３００の移動方向にガイド溝３３０−１と３３０−２が開けられている。収納箱３００は、取付枠体２００の左右ストッパー２２０−１と２２０−２に狭持され、取付枠体２００のガイド突起２３０が収納箱３００のガイド溝３３０を貫通するように、取付枠体２００に搭載される。収納箱３００に前後方向の力を加えると、収納箱３００はガイド溝３３０とガイド突起２３０により決まる位置を移動することとなり、収納箱３００は取付枠体２００上の安定した移動が可能となる。また、収納箱３００が移動する際、ガイド溝３３０の周辺部はガイド突起２３０と接触するが、ガイド突起２３０を覆う樹脂製のパイプ２３３により摩擦抵抗は小さく、なめらかな移動が可能となる。
収納箱３００の底板３４０には樹脂製のピン３５０が設けられている。収納箱３００を取付枠体２００に搭載した時、樹脂製のピン３５０が取付枠体２００の底板２１２と接触し、収納箱３００の底板３４０が底板２１２と直接接触することはない。従って、収納箱３００が移動する際、摩擦抵抗が小さいなめらかな移動が可能となる。
【００１５】
図２−１は、図４に示される取付枠体２００、収納箱３００、収納箱蓋３１１、留め具４００から構成されるケース１００の斜視図であり、収納箱３００を取付枠体２００の後方、即ちラック１０の奥方向に収納した図であり、図２−２は図２−１の詳細図である。図２−３は、収納箱蓋３１１と留め具４００を取り除いて、収納箱３００の内部状態を目視した図であり、図２−４は図２−３の詳細図である。
収納箱蓋留めネジ穴３１２により収納箱蓋３１１が取り付けられた収納箱３００が取付枠体２００に搭載されている。また、留め具４００が留めネジ４１０により取付枠体２００に取り付けられ、収納箱３００を保護している。ケース１００は取付枠体２００の左右側壁の前部に設けられた枠体取付金具２１０によりラック１０にネジ止めされる。
図７−２に示されるように、取付枠体２００の底板２１２に設けられたガイド突起２３０が、収納箱３００の底板３４０(図２−３)に開けられたガイド溝３３０に沿って移動することにより、収納箱３００は取付枠体２００の底板２１２上を前後に移動する。取付枠体２００に設けられている左ストッパー２２０−１と右ストッパー２２０−２の球体２５３(図５−３、図７−１)は、バネ２５２によりケース１００の左右側壁に押し当てられる。従って、収納箱３００が前後に移動する時、収納箱３００の側壁は球体２５３に接触しつつ移動する。
【００１６】
収納箱３００の左右側壁の各々には、左ストッパー穴３２０−１と右ストッパー穴３２０−２が開けられている。本実施例のストッパー穴は左右側壁におのおの２つずつあけられている。図２−３には収納箱３００の左側壁にあけられた、第１左ストッパー穴と第２左ストッパー穴が示されている。左側壁と同様、右側壁には第１右ストッパー穴３２０−２１と第２右ストッパー穴３２０−２２が開けられている。収納箱３００の移動に伴い、ケース１００の左右側壁に押し当てられているストッパーの球体は、側壁面を移動する。球体がストッパー穴に至ると、バネの力により球体はストッパー穴に入り込みケース１００の移動を停止させる。図２−１ないし図２−４に示されるケース１００は、収納箱３００を取付枠体２００の後方移動させた状態であり、ストッパーの球体は、収納箱３００の側壁の前方に開けられたストッパー穴、即ち、左側壁の第１左ストッパー穴と右側壁の第１右ストッパー穴に入り込み、ケース１００が固定保持される。図２−２には右ストッパーの球体が第１右ストッパー穴に嵌合し、第２右ストッパー穴のみが目視される状態が、図２−４には左ストッパーの球体が第１左ストッパー穴に嵌合した状態が示される。また、図２−４には、取付枠体２００の枠体底板２１２に設けられた左ガイド突起２３０−１が収納箱の底板３４０に開けられた左ガイド溝３３０−１の前方に位置することが示されている。収納箱３００を取付枠体２００の後方に収納し、左右ストッパーの球体が各々第１のストッパー穴と嵌合した状態では、収納箱３００の前方に設けられたケーブル受け３１０は取付枠体２００の枠体取付金具２１０より後方に位置する。従って、枠体取付金具２１０によりケース１００をラック１０に取り付けた状態で、ケーブル受け３１０を含む収納箱３００は完全にラック１０内に収まることになる。
【００１７】
収納箱に接続されているケーブルの接続を変更する場合、ラック１０の奥に収納された収納箱３００を前方に引き出して作業を行う。図２−２の白抜きの矢印は、ラック１０の奥から収納箱３００を前方に引き出す際の、取付枠体２００に対する収納箱３００の動きを示すものである。収納箱３００を引き出すため、収納箱３００を前方に強く引くことにより、図７−１に示される様に、第１のストッパー穴３２０と嵌合したストッパー２２０の球体２５３はストッパー穴の縁に押され、バネ２５２の弾性力に抗してストッパー本体内に入り込む。この球体の動きによりストッパーとストッパー穴の嵌合は解除され、収納箱３００は取付枠体２００の枠体底板２１２上をスライドし移動する。枠体の底板２１２に設けられたガイド突起２３０が収納箱の底板３４０に開けられたガイド溝３３０に沿って移動するため、収納箱３００は左右に揺れることなく前方に移動することが可能となる。  収納箱の底板３４０には図７−２に示される樹脂製のピン３５０が設けられており、摩擦係数の小さい樹脂製のピン３５０が枠体の底板２１２と接触して移動する。この構成により、枠体の底板２１２と収納箱の底板３４０は直接接触することはなく、収納箱３００は小さな力を加えるのみで、滑らかな移動が可能となる。また、ガイド突起２３０は樹脂製のパイプで保護されているため、収納箱３００の移動中にガイド突起２３０がガイド溝３３０の縁部と接触しても、摩擦は小さく滑らかな移動が可能となる。
【００１８】
図２−１の位置にある収納箱３００に引く力を加えることにより、ストッパーの球体と第１の左ストッパー穴および第１の右ストッパー穴とストッパーの球体との嵌合が解消し、収納箱３００は前方に移動する。ストッパーの球体は収納箱３００の側壁に沿って収納箱３００後方に移動し、第２のストッパー穴に位置に到達して、ストッパー穴と球体は嵌合する。この状態が図３−１ないし図３−５に示されている。図３−１ないし図３−４は各々図２−１ないし図２−４に対応する図であり、図３−５は俯瞰図である。取付枠体２００の左右ストッパー２２０−１及び２２０−２は収納箱３００の左右側壁の各々奥方向に開けられた第２のストッパー穴に嵌合している。図３−４あるいは図３−５に示されるように、左右のガイド突起は左右のガイド溝の奥方向に位置している。収納箱３００がこの位置にあると、ケーブル受け３１０はラック１０の前面から更に前方となり、収納箱３００の前面に設けられているコネクタは作業が容易な位置となる。作業が終了すると、収納箱３００をラック１０の奥に移動させる。収納箱を押し込む方向に力を加えることにより、左ストッパー２２０−１及び右ストッパー２２０−２と第２のストッパー穴３２０−１２及び３２０−２２の嵌合は解除され、収納箱３００は後方にスライドし、図２−１に示される位置に移動する。
【産業上の利用可能性】
【００１９】
本発明は、ラック内にスライド収納されるラックマウント型の電子機器ケースに関するものである。通常はケースをラックの奥に収納し、ラックの扉の閉塞、あるは通行の障害とならないようにする。収容ケーブルを変更する等の作業を行う時には、ケースを前方に引き出し、ケーブルの着脱の作業を容易に行えるようにする。
１．本発明に係るラックマウント型の電子機器ケースは、ラックに固定される取付枠体２００と、取付枠体２００上を前後にスライドし移動する収納箱３００から構成されている。上記の構成により、本発明に係るケースの収納箱３００は、小さな力によりラック内を前後に移動可能となる。
２．取付枠体２００と収納箱３００にガイド突起とガイド溝を設けることにより、収納箱３００が取付枠体２００上をスライドする位置と距離が規制され、安定した移動が可能となる。
３．取付枠体２００の左右側壁にはストッパーが、収納箱３００には収納位置と引出位置でストッパーと嵌合する構成を有している。この構成により、通常の利用時、及び作業時に収納箱３００を安定した状態で保持することが可能となり、安全確実な作業が可能となる。
４．ストッパーの嵌合は、球体と球体が嵌合するストッパー穴により構成されている。この構成により強い力を加えることにより嵌合を解除することが可能となり、特殊な操作あるいは工具を必要とせず簡単に収納箱３００をスライドさせることが可能となる。
５．収納箱３００が取付枠体２００と接触する面には樹脂製のピンが設けられている。この構成により、収納箱３００と取付枠体２００の間の摩擦が小さくなり、収納箱３００の滑らかなスライドが可能となる。
【図面の簡単な説明】
【００２０】
【図１】本発明に係るラックマウント型ケースをラックに収納した図
【図２−１】ケースの収納箱が取付枠体の後方に位置する図
【図２−２】図２−１の詳細図
【図２−３】ケースの収納箱が取付枠体の後方に位置する時の内部の図
【図２−４】図２−３の詳細図
【図３−１】ケースの収納箱が取付枠体の前方に位置する図
【図３−２】図３−１の詳細図
【図３−３】ケースの収納箱が取付枠体の前方に位置する時の内部の図
【図３−４】図３−３の詳細図
【図３−５】図３−３の俯瞰図
【図４】ケースを構成する取付枠体、収納箱、収納箱蓋、留め具の概要図
【図５−１】取付枠体の概要図
【図５−２】図５−１の詳細図
【図５−３】ストッパーと袋ナットの詳細図
【図６】収納箱の概要図
【図７−１】ストッパーとストッパー穴の詳細図
【図７−２】ガイド突起とガイド溝の詳細図
【手続補正２】
【補正対象書類名】図面
【補正対象項目名】図２−１
【補正方法】変更
【補正の内容】
【図２−１】
2007324441.tif 000020
【手続補正３】
【補正対象書類名】図面
【補正対象項目名】図２−２
【補正方法】変更
【補正の内容】
【図２−２】
2007324441.tif 000021
【手続補正４】
【補正対象書類名】図面
【補正対象項目名】図２−３
【補正方法】変更
【補正の内容】
【図２−３】
2007324441.tif 000022
【手続補正５】
【補正対象書類名】図面
【補正対象項目名】図３−１
【補正方法】変更
【補正の内容】
【図３−１】
2007324441.tif 000023
【手続補正６】
【補正対象書類名】図面
【補正対象項目名】図４
【補正方法】変更
【補正の内容】
【図４】
2007324441.tif 000024
【手続補正７】
【補正対象書類名】図面
【補正対象項目名】図６
【補正方法】変更
【補正の内容】
【図６】
2007324441.tif 000025